(57)【要約】【課題】  保護が必要なデータ放送について選択的にこれを保護しながら他チャンネルも一時的に視聴できる放送受信装置及び放送受信方法を提供する。【解決手段】  放送信号を選局し復調して復調信号を出力する第１及び第２チューナ部と、復調信号をデコードして映像音声信号を出力するデコーダ部と、チューナ部からの復調信号からデータ放送情報を抽出してデータ放送画面信号を生成するブラウザ部と、データ放送の保護の指示があり、第１チューナ部でデータ放送を受信中に他局の受信指示を受けると、第１チューナ部のデータ放送受信とデータ放送情報の保存を継続しながら、第２チューナ部により他局の受信を行なうべくチューナ部、デコーダ部、ブラウザ部を制御する制御部を有する放送受信装置。【選択図】図１
2007013712.tif 000002
【特許請求の範囲】
【請求項１】
放送信号を選局し復調して復調信号を出力する第１及び第２チューナ部と、
前記復調信号をデコードして映像音声信号を出力するデコーダ部と、
前記チューナ部からの前記復調信号からデータ放送情報を抽出してデータ放送画面を生成するブラウザ部と、
前記データ放送の保護の指示があり、前記第１チューナ部で前記データ放送を受信中に他局の受信指示を受けると、前記第１チューナ部のデータ放送受信とデータ放送情報の保存を継続しながら、前記第２チューナ部により前記他局の受信を行なうべく前記チューナ部、前記デコーダ部、前記ブラウザ部を制御する制御部と、
を具備することを特徴とする放送受信装置。
【請求項２】
前記第２チューナ部の前記復調信号からデータ放送情報を抽出してデータ放送画面を生成する第２ブラウザ部を更に有しており、
前記制御部は、前記他局の受信指示を受けると、前記第２チューナ部により前記他局の受信を行い、更に前記第２ブラウザ部により前記第２チューナ部の前記復調信号からデータ放送情報を抽出してデータ放送画面を生成するべく制御することを特徴とする請求項１記載の放送受信装置。
【請求項３】
前記データ放送の保護の登録は、操作部のメニュ画面から行なうことを特徴とする請求項１記載の放送受信装置。
【請求項４】
前記データ放送の保護の登録は、操作部により表示される番組表に対応して設定することができることを特徴とする請求項１記載の放送受信装置。
【請求項５】
前記制御部は、前記データ放送の保護の指示があった後に、前記保護登録を解除する指示があると、前記第１チューナ部のデータ放送受信とデータ放送情報の保存を行なわないことを特徴とする請求項１記載の放送受信装置。
【請求項６】
前記制御部は、前記他局の受信指示を受けると、前記第２チューナ部で選局した放送画面の一部に、前記データ放送を保護対象としている旨のメッセージを表示することを特徴とする請求項１記載の放送受信装置。
【請求項７】
前記制御部は、前記他局の受信指示を受けると、前記第２チューナ部で選局した放送画面を表示し、更に、２画面表示の指示を受けると、前記放送画面中に前記保護中のデータ放送の画面を表示することを特徴とする請求項１記載の放送受信装置。
【請求項８】
前記制御部は、前記他局の受信指示を受けると、前記第２チューナ部で選局した放送画面と共に、前記保護中のデータ放送の画面を表示することを特徴とする請求項１記載の放送受信装置。
【請求項９】
前記制御部は、前記他局の受信指示を受けると、前記第２チューナ部で選局した放送画面と共に、前記放送画面中に前記保護中のデータ放送の画面を表示することを特徴とする請求項８記載の放送受信装置。
【請求項１０】
前記制御部は、前記他局の受信指示を受けると、前記第２チューナ部で選局した放送画面と同サイズの前記保護中のデータ放送の画面を表示することを特徴とする請求項８記載の放送受信装置。
【請求項１１】
前記制御部は、前記他局の受信指示を受けると、前記保護中のデータ放送の画面の中に、前記第２チューナ部で選局した放送画面を表示するべく制御することを特徴とする請求項１記載の放送受信装置。
【請求項１２】
前記制御部は、前記第１チューナ部で前記データ放送を受信中に前記データ放送の登録保護の指示を受けると、前記保護中のデータ放送の画面の中に、前記第２チューナ部で選局した放送画面を表示するべく制御することを特徴とする請求項１記載の放送受信装置。
【請求項１３】
前記制御部は、前記データ放送の保存中に、信号入力待ち状態であることを検出すると、前記他局の受信画面へ、保存中のデータ放送にてキー入力が求められている旨の表示を行なうことを特徴とする請求項１記載の方送受信装置。
【請求項１４】
前記制御部は、前記データ放送の保存中に、信号入力待ち状態であることを検出すると、前記他局の受信画面から前記データ放送画面へと遷移することを特徴とする請求項１記載の方送受信装置。
【請求項１５】
第１のチューナにより放送信号を選局し復調しデコードして映像音声信号を出力し、
前記第１チューナによる放送信号を視聴中に、他局の受信指示を受けると、前記第１チューナ部のデータ放送受信とデータ放送情報の保存を継続しながら、第２チューナ部により前記他局の受信を行なうことを特徴とする放送受信方法。
【発明の詳細な説明】
【技術分野】
【０００１】
この発明は、データ放送を受信する放送受信装置に関し、特に受信中のデータ放送の情報を保護する放送受信装置及び放送受信方法に関する。
【背景技術】
【０００２】
近年、デジタル技術の浸透に従って、デジタル放送においても多様の受信形態が普及してきつつある。この一例として、デジタル放送のデータ放送があり、多角的に番組を視聴することが可能となってきている。
【０００３】
特許文献１では、このような文字放送について、親画面用のチューナで通常の放送を受信しているときに、子画面用のチューナで文字放送を受信させることで、常に文字放送を受信しつづける技術を開示している。
【特許文献１】特開平８−１４００６４号公報。
【発明の開示】
【発明が解決しようとする課題】
【０００４】
しかし、特許文献１では、複数のチューナの一方を文字放送用に割り当ててしまうもので、必ずしも文字放送を保護しない場合でもチューナの一台を使用中としてしまうため、資源の活用が十分ではないという問題がある。
【０００５】
本発明は、保護が必要なデータ放送について選択的にこれを保護しながら他チャンネルも一時的に視聴できる放送受信装置及び放送受信方法を提供することを目的とする。
【課題を解決するための手段】
【０００６】
本発明に係る一実施形態は、放送信号を選局し復調して復調信号を出力する第１及び第２チューナ部と、前記復調信号をデコードして映像音声信号を出力するデコーダ部と、前記チューナ部からの前記復調信号からデータ放送情報を抽出してデータ放送画面を生成するブラウザ部と、前記データ放送の保護の指示があり、前記第１チューナ部で前記データ放送を受信中に他局の受信指示を受けると、前記第１チューナ部のデータ放送受信とデータ放送情報の保存を継続しながら、前記第２チューナ部により前記他局の受信を行なうべく前記チューナ部、前記デコーダ部、前記ブラウザ部を制御する制御部とを具備することを特徴とする放送受信装置である。
【発明の効果】
【０００７】
保護が必要なデータ放送について選択的にこれを保護しながら、他チャンネルも一時的に視聴することができる放送受信装置及び放送受信方法を提供する。
【発明を実施するための最良の形態】
【０００８】
以下、この発明の実施の形態について図面を参照して詳細に説明する。  
図１乃至図４は、本発明の一実施形態に係る放送受信装置の構成の一例を示すブロック図である。
【０００９】
＜本発明の一実施形態に係る放送受信装置＞
初めに本発明の一実施形態に係る放送受信装置の構成の一例を以下に図１乃至図４を用いて説明する。
【００１０】
（構成）
本発明の一実施形態に係る放送受信装置１は、図１乃至図４において、全体の動作を制御する制御部１０と、リモコン等の操作部２３と、第１のデジタルチューナ１１と、この出力を受けるＴＳデコーダＡ１３と、この出力を受けるＭＰＥＧデコーダＡ１５と、同様にＴＳデコーダＡ１３の出力を受けるデータ放送コンテンツブラウザＡ１７とを有している。更に、放送受信装置１は、図１乃至図４において、第２のデジタルチューナ１２と、この出力を受けるＴＳデコーダＢ１４と、この出力を受けるＭＰＥＧデコーダＢ１６と、同様にＴＳデコーダＢ１４の出力を受けるデータ放送コンテンツブラウザＢ１８とを有している。更に、各デコーダ１５，１６，各ブラウザ１７，１８の画像信号を受けて、これらの一つの映像信号又は複数を合成した映像信号を出力する映像／グラフィック処理部２１と、ここからの映像信号を表示する表示部２２とを有している。
【００１１】
ここで、デジタルチューナ１１は、例えば、デジタル地上波放送、ＢＳデジタル放送、ＣＳデジタル放送等を受信対象としており、データ放送にも対応している。第１のデジタルチューナ１１は、放送信号を選局し復調して復調信号を出力し、ＴＳデコーダＡ１３はこの復調信号を復号して出力し、ＭＰＥＧデコーダはこの復号信号をＭＰＥＧデコードして、映像音声信号を映像／グラフィック処理部２１に出力する。又、データ放送コンテンツブラウザＡ１７は、ＴＳデコーダＡ１３からの復号信号からデータ放送情報を抽出し、これに基づきデータ放送画面を生成して、映像音声信号を映像／グラフィック処理部２１に出力するものである。これにより、操作部２３の操作及び制御部１０の働きに応じて、選局された映像やデータ放送のブラウザ画面の一つ又はこれらの合成画面が表示部２２に表示される。
【００１２】
なお、複数のデータ放送ブラウザ１７，１８が搭載されているため、選局後のチャンネルにデータ放送があった場合、保護対象のデータ放送番組と選局後のチャンネルのデータ放送番組を、両方同時に起動することができる。
【００１３】
（その他の構成）
本発明の一実施形態に係る放送受信装置１の他の構成を、図２乃至図４の図面を用いて説明する。図２において、この放送受信装置１は、図１の構成と比べて、データ放送コンテンツブラウザ２４が一つしか設けられていない。しかし、このような構成であっても、一つのデータ放送だけを視聴するという範囲では、図１の構成と同等の働きを有している。更に、デジタルチューナＡ１１からの復調信号でもデジタルチューナＢ１２からの復調信号でもデータ放送を抽出することが可能となり、十分実用的な構成である。更に、データ放送コンテンツブラウザ２４が複数のデータ放送番組を同時に処理する能力を有するなら、選局後のチャンネルにデータ放送があった場合、保護対象のデータ放送番組と選局後のチャンネルのデータ放送番組とを、両方同時に起動することができる。又、本発明の一実施形態の特徴であり以下に詳細に述べるデータ放送の保護登録を実施できる構成でもある。
【００１４】
次に、図３において、この放送受信装置１も、図１の構成と比べて、データ放送コンテンツブラウザ２２が一つしか設けられていない。しかし、このような構成であっても、同様に、一つのデータ放送だけを視聴するという範囲では、図１の構成と同等の働きを有している。しかし、接続されているチューナはデジタルチューナＡ１１だけであり、データ放送を抽出する対象としては、デジタルチューナＡ１１だけとなっている。又、本発明の一実施形態の特徴であり以下に詳細に述べるデータ放送の保護登録を実施できる構成でもある。
【００１５】
次に、図４において、この放送受信装置１は、図１の構成から、デジタルチューナＢとＴＳデコーダＢを除去されることで、一つのチューナと二つのＭＰＥＧデコーダとをもった構成となっている。この構成では、二つの周波数の放送信号を受信することができないが、例えば、ＮＨＫ等のデジタルＢＳ放送のように、一つの周波数の放送信号中に複数の映像音声信号が含まれている場合、一つのデジタルチューナＡ１１で一局を選局している場合でも、二種類、又はそれ以上の放送画面を選択することができる。又、この限りにおいて、本発明の一実施形態の特徴であり以下に詳細に述べるデータ放送の保護登録を実施できる構成でもある。
【００１６】
＜本発明の一実施形態に係る放送受信装置の動作＞
次に、上述した放送受信装置１のデータ放送の保護登録他について、図面を用いて、詳細に説明する。図５及び図６は、本発明の一実施形態に係る放送受信装置のチャンネル変更の一例を示すフローチャート、図７は、本発明の一実施形態に係る放送受信装置の保護登録の操作の一例（リモコン）を示す説明図、図８は、同じく保護登録の操作の一例（メニュ）を示す説明図、図９は、同じく保護登録の操作の一例（番組表）を示す説明図、図１０は、同じく保護登録の操作の一例（番組表のメニュ）を示す説明図、図１１は、同じく保護解除の操作の一例（リモコン）を示す説明図、図１２は、同じく保護解除の操作の一例（メニュ）を示す説明図、図１３は、同じく保護解除の操作の一例（番組表）を示す説明図、図１４は、同じく保護解除の操作の一例（番組表のメニュ）を示す説明図、図１５は、同じく保護解除の操作の一例（カーソル）を示す説明図、図１６は、同じく保護メッセージの一例を示す説明図、図１７は、同じく保護メッセージの一例を示す説明図、図１８は、同じく保護メッセージの一例を示す説明図、図１９は、同じくチャンネル変更後の２画面表示の一例を示す説明図、図２０は、同じくチャンネル変更後の２画面表示の他の一例を示す説明図、図２１は、同じくチャンネル変更後の２画面表示の他の一例を示す説明図、図２２は、同じくチャンネル変更後の２画面表示の他の一例を示す説明図、図２３は、同じく保護登録後の２画面表示の他の一例を示す説明図である。
【００１７】
（フローチャートに沿った動作説明）
次に、本発明の一実施形態に係る放送受信装置の動作を図５及び図６のフローチャートを用いて詳細に説明する。
【００１８】
図１の放送受信装置１に関する図５のフローチャートのスタートにおいては、初めに、電源が投入された状態で、デジタルチューナＡ１１からＴＳデコーダＡ１３、ＭＰＥＧデコーダＡ１５及びデータ放送ブラウザＡ１７を用いて、一つの通常の映像放送（又はデータ放送も）が受信されている状態にあるものとする。ここで、ユーザ等が操作部２３のリモコン等を操作して他チャンネルを見ようとするべく他チャンネルを指定する操作をすると（ステップＳ１０）、制御部１０の制御下において、現在、チューナＡ１１がデータ放送をも同時に受信しているかどうかが問われる（ステップＳ１１）。
【００１９】
ここで、データ放送が何も受信されていなければ、チューナＡ１１が指定されたチャンネルを選局し（ステップＳ１２）、これにより、指定チャンネルの放送に応じた映像信号がデジタルチューナＡ１１、ＴＳデコーダＡ１３、ＭＰＥＧデコーダＡ１５を経由し、映像／グラフィック処理部２１を経て、表示部２２に表示される（ステップＳ１３）。このとき、選局した放送信号にデータ放送情報が含まれていれば、データ放送コンテンツブラウザＡ１７の自動起動があり（ステップＳ１４）、データ放送Ａ’の起動と表示部２２への表示が可能となる（ステップＳ１５）。
【００２０】
又、ステップＳ１６において、後述する方法でデータ放送の保護が登録されていなければ（ステップＳ１６）、データ放送ブラウザＡ１７で再生中のデータ放送があればデータ放送を終了し、データ放送Ａは終了するべく削除されるものである（ステップＳ１７）。ここで、データ放送の保護が登録されていれば、再生しているデータ放送を非表示状態にしながらも、デジタルチューナＡ１１の受信及びＴＳデコーダＡ１３、データ放送コンテンツブラウザＡ１７等の動作を継続し、又、データ放送情報の図示しない記憶領域への蓄積を継続することでデータ放送情報を保護する（ステップＳ１８）。
【００２１】
なお、ここで、操作部２３のリモコン等のキー入力が所定時間経過してもないこと（キー入力待ち）を制御部１０が検出すると、必要な信号を制御部１０で生成することで、データ放送情報の受信及び保存の停滞を回避するという処理が必要に応じて好適となる。
【００２２】
又、同様に、操作部２３のリモコン等のキー入力が所定時間経過してもないこと（キー入力待ち）を制御部１０が検出した場合、現在、視聴している番組画面に、『保存中のデータ放送にて、キー入力が求められています』等のメッセージや音声表示を行なうことが好適である。
【００２３】
又、同様に、キー入力待ちに対して、現在視聴中の番組画面から、保存中のデータ放送画面へと、制御部１０の働きにより遷移することが好適である。これらの処理により、データ放送データの保護登録処理が完全なものとなる。
【００２４】
一方、デジタルチューナＢ１２の選局を、先のユーザが指定した局に応じて行なう（ステップＳ１９）。そして、デジタルチューナＢ１２、ＴＳデコーダＢ１４、ＭＰＥＧデコーダＢ１６を起動させることで、指定された局の映像信号に応じた映像を、表示部２２に表示する。これと同時に、この指定された局の復号信号にデータ放送情報が含まれていれば、データ放送コンテンツブラウザＢ１８を起動して、データ放送情報に応じた画像情報を映像／グラフィック処理部２１に出力し、適宜、映像信号とデータ放送情報に応じたブラウザ画面を合成画像等により表示部２２に表示する。
【００２５】
これにより、必要なデータ放送情報が適宜保存されるため、その後、再び、データ放送にチャンネルを戻した場合、例えば、データ放送においてクイズ等を行なっていた場合でも、データ放送のデータが破壊されることなく、再び、データ放送においてクイズ等を再開することが可能となるものである。
【００２６】
なお、図６のフローチャートにおいては、図２及び図３に示されるデータ放送コンテンツブラウザＡが一つしか構成していない場合であり、この場合は、図５に示されているチャンネル変更後のデータ放送コンテンツブラウザの起動は行なわれない。しかし、これ以外の工程は、図５のフローチャートの工程と共通したものである。
【００２７】
＜本発明の一実施形態に係る放送受信装置の操作の具体例＞
次に、図７乃至図２３を用いて、本発明の一実施形態に係る放送受信装置の操作の具体例について、順番に説明する。
【００２８】
（データ放送の保護登録処理）
初めに、データ放送の保護登録処理の具体例を述べる。図７において、リモコンＲ等により、データ放送の保護登録がなされる。すなわち、ユーザ操作により、保護対象となるデータ放送番組、又は、データ放送チャンネルを登録することができる。例えば、対象のデータ放送番組を視聴中に特定のキーを入力することで、制御部１０がこれを認識し記憶領域に格納され、保護対象となるデータ放送番組又はデータ放送チャンネルを登録できる。ここで、保護対象となるデータ放送番組又はデータ放送チャンネルを登録した場合、画面Ｄ１２上にメッセージを表示しても良い。
【００２９】
又は、図８に示すように、対象のデータ放送番組を視聴中に、リモコンＲ等の操作により、メニュ上のカーソル選択によって、保護対象となるデータ放送番組又はデータ放送チャンネルを登録することができる。ここで、保護対象となるデータ放送番組又はデータ放送チャンネルを登録した場合、画面Ｄ１４上にメッセージを表示しても良い。
【００３０】
次に、図９に示すように、電子番組表の画面Ｄ１５上で、保護対象となるデータ放送番組又はデータ放送チャンネルをリモコンＲ等で登録することで、制御部１０がこれを認識し記憶領域に格納され、保護対象となるデータ放送番組又はデータ放送チャンネルを登録できる。ここで、保護対象となるデータ放送番組又はデータ放送チャンネルを登録した場合、画面Ｄ１６上にメッセージを表示しても良い。
【００３１】
更に、図１０に示すように、電子番組表の画面Ｄ１７上で、対象のデータ放送番組にカーソルを合わせた状態で、特定のキーを入力することで、制御部１０がこれを認識し記憶領域に格納され、保護対象となるデータ放送番組又はデータ放送チャンネルを登録できる。又は、電子番組表上で対象のデータ放送番組にカーソルを合わせた状態で、メニュを表示／メニュ上のカーソル選択により、制御部１０がこれを認識し記憶領域に格納され、保護対象となるデータ放送番組又はデータ放送チャンネルを登録できる。
【００３２】
又、日時指定やキーワード指定でも、同様に制御部１０がこれを認識し記憶領域に格納され、保護対象となるデータ放送番組又はデータ放送チャンネルを登録できる。保護対象となるデータ放送番組又はデータ放送チャンネルを登録した場合、表示画面Ｄ１８のように、メッセージを表示してもよい。保護対象となるデータ放送番組として未来番組を登録した場合、同時に視聴予約登録をしてもよい。
【００３３】
（データ放送の保護解除処理）
次に、データ放送の保護解除処理の具体例について図面を用いて述べる。図１１において、表示画面Ｄ１９に対して、ユーザ操作により、保護対象となるデータ放送番組又はデータ放送チャンネルを解除できる。例えば、対象のデータ放送番組の画面Ｄ１９上で、リモコンＲ等で、特定のキーを入力することで、制御部１０がこれを認識し記憶領域内の保護登録データを削除し、保護対象となるデータ放送番組又はデータ放送チャンネルを解除できる。保護対象となるデータ放送番組又はデータ放送チャンネルを解除した場合、表示画面Ｄ２０のように、メッセージを表示してもよい。
【００３４】
又、図１２において、対象のデータ放送番組を視聴中にメニュ画面Ｄ２１上のカーソル選択により、制御部１０がこれを認識し記憶領域内の保護登録データを削除し、保護対象となるデータ放送番組又はデータ放送チャンネルを解除できる。保護対象となるデータ放送番組又はデータ放送チャンネルを解除した場合、画面Ｄ２２に示すように、メッセージを表示しても良い。
【００３５】
又、図１３において、電子番組表の画面Ｄ２３上で、保護対象となるデータ放送番組又はデータ放送チャンネルを解除できる。例えば、電子番組表の画面Ｄ２３上で対象のデータ放送番組をにカーソルを合わせた状態で、リモコンＲ等の特定のキーを入力することで、制御部１０がこれを認識し記憶領域内の保護登録データを削除し、保護対象となるデータ放送番組又はデータ放送チャンネルを解除できる。
【００３６】
又は、図１４において、電子番組表の画面Ｄ２５上で、対象のデータ放送番組をにカーソルを合わせた状態で、リモコンＲ等の特定のキーを入力することで、メニュを表示／メニュ上のカーソル選択により、制御部１０がこれを認識し記憶領域内の保護登録データを削除し、保護対象となるデータ放送番組又はデータ放送チャンネルを解除できる。
【００３７】
又、日時指定やキーワード指定でも、保護対象となるデータ放送番組又はデータ放送チャンネルを解除できる。保護対象となるデータ放送番組又はデータ放送チャンネルを解除した場合、表示画面Ｄ２６に示すように、メッセージを表示しても良い。
【００３８】
又、図１５において、リスト選択の表示画面Ｄ２７上で、リモコンＲ等でカーソル選択を行なうことで、制御部１０がこれを認識し記憶領域内の保護登録データを削除し、保護対象となるデータ放送番組又はデータ放送チャンネルを解除できる。すなわち、保護対象となっているデータ放送番組又はデータ放送チャンネルの一覧をリスト表示し、その中からカーソル選択することにより、保護対象となるデータ放送番組又はデータ放送チャンネルを解除できる。このとき、表示画面Ｄ２８に示すように、メッセージを表示しても良い。
【００３９】
（データ放送の保護登録の後の表示方法）
次に、データ放送の保護登録の後の表示方法について、図１６乃至図２３により、詳細に説明する。
【００４０】
図１６において、保護対象のデータ放送を受信中の表示画面Ｄ２９に対して、リモコンＲ等で他チャンネルの選局をした際、制御部１０等の働きにより、『保護対象のデータ放送を視聴中である』と表示することも好適である。『保護対象のデータ放送を中断せずに継続しておりデータ放送を保護対象としている』旨を表示しながら、その他チャンネルの映像画面Ｄ３０に切り換えることが好適である。
【００４１】
図１７において、保護対象のデータ放送を視聴中は、制御部１０等の働きにより、『保護対象のデータ放送を視聴中である』旨を画面Ｄ３１上に表示することが好適である。例えば、バナーや番組説明を表示するときに、アイコンを点灯させることも好適である。又は、視聴画面上に常時アイコン又はメッセージを表示することでもよい。
【００４２】
図１８において、保護対象のデータ放送を終了しないで他局の視聴をしている場合に、制御部１０等の働きにより、他局の表示画面Ｄ３２上にその旨を表示することが好適である。例えば、バナーや番組説明を表示するときに、アイコンを点灯させる。又は、視聴画面上に常時アイコン又はメッセージを表示することでもよい。
【００４３】
図１９において、保護対象のデータ放送と選局した映像又はデータ放送を同時に表示することが好適である。すなわち、データ放送画面Ｄ３３上で、リモコンＲ等により選局することで、他局への切換を指示する。この後、他局の表示画面Ｄ３４において、リモコンＲ等で２画面表示ボタン等を押下することにより、制御部１０等の働きにより、他局の表示画面Ｄ３５中のデータ放送画面を合成して表示することが好適である。
【００４４】
図２０において、データ放送画面Ｄ３６上で、リモコンＲ等により選局することで、制御部１０等の働きにより、他局への切換を行なうと同時に、他局の表示画面Ｄ３７中にデータ放送画面を合成して表示することが好適である。
【００４５】
図２１において、同様に、データ放送画面Ｄ３８上で、リモコンＲ等により選局することで、制御部１０等の働きにより、他局への切換を行なうと同時に、２画面表示画面Ｄ３９において他局の表示画面とデータ放送画面とを並べて表示することが好適である。
【００４６】
図２２において、データ放送画面Ｄ４０上で、リモコンＲ等により選局することで、制御部１０等の働きにより、データ放送画面Ｄ４１中に、他局の表示画面を合成表示することが好適である。
【００４７】
図２３において、データ放送画面Ｄ４２上で、リモコンＲ等により保護登録を指示することで、制御部１０等の働きにより、データ放送画面Ｄ４１中に他局の表示画面を合成表示することが好適である。
【００４８】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４９】
【図１】本発明の一実施形態に係る放送受信装置の構成の一例を示すブロック図。
【図２】本発明の一実施形態に係る放送受信装置の構成の他の一例を示すブロック図。
【図３】本発明の一実施形態に係る放送受信装置の構成の他の一例を示すブロック図。
【図４】本発明の一実施形態に係る放送受信装置の構成の他の一例を示すブロック図。
【図５】本発明の一実施形態に係る放送受信装置のチャンネル変更の一例を示すフローチャート。
【図６】本発明の一実施形態に係る放送受信装置のチャンネル変更の他の一例を示すフローチャート。
【図７】本発明の一実施形態に係る放送受信装置の保護登録の操作の一例（リモコン）を示す説明図。
【図８】本発明の一実施形態に係る放送受信装置の保護登録の操作の一例（メニュ）を示す説明図。
【図９】本発明の一実施形態に係る放送受信装置の保護登録の操作の一例（番組表）を示す説明図。
【図１０】本発明の一実施形態に係る放送受信装置の保護登録の操作の一例（番組表のメニュ）を示す説明図。
【図１１】本発明の一実施形態に係る放送受信装置の保護解除の操作の一例（リモコン）を示す説明図。
【図１２】本発明の一実施形態に係る放送受信装置の保護解除の操作の一例（メニュ）を示す説明図。
【図１３】本発明の一実施形態に係る放送受信装置の保護解除の操作の一例（番組表）を示す説明図。
【図１４】本発明の一実施形態に係る放送受信装置の保護解除の操作の一例（番組表のメニュ）を示す説明図。
【図１５】本発明の一実施形態に係る放送受信装置の保護解除の操作の一例（カーソル）を示す説明図。
【図１６】本発明の一実施形態に係る放送受信装置の保護メッセージの一例を示す説明図。
【図１７】本発明の一実施形態に係る放送受信装置の保護メッセージの一例を示す説明図。
【図１８】本発明の一実施形態に係る放送受信装置の保護メッセージの一例を示す説明図。
【図１９】本発明の一実施形態に係る放送受信装置のチャンネル変更後の２画面表示の一例を示す説明図。
【図２０】本発明の一実施形態に係る放送受信装置のチャンネル変更後の２画面表示の他の一例を示す説明図。
【図２１】本発明の一実施形態に係る放送受信装置のチャンネル変更後の２画面表示の他の一例を示す説明図。
【図２２】本発明の一実施形態に係る放送受信装置のチャンネル変更後の２画面表示の他の一例を示す説明図。
【図２３】本発明の一実施形態に係る放送受信装置の保護登録後の２画面表示の他の一例を示す説明図。
【符号の説明】
【００５０】
１０…制御部、１１，１２…デジタルチューナ、１３，１４…ＴＳデコーダ、１５，１６…ＭＰＥＧデコーダ、１７，１８…データ放送コンテンツブラウザ、２１…映像／グラフィック処理部。
【図１】
2007013712.tif 000003
【図２】
2007013712.tif 000004
【図３】
2007013712.tif 000005
【図４】
2007013712.tif 000006
【図５】
2007013712.tif 000007
【図６】
2007013712.tif 000008
【図７】
2007013712.tif 000009
【図８】
2007013712.tif 000010
【図９】
2007013712.tif 000011
【図１０】
2007013712.tif 000012
【図１１】
2007013712.tif 000013
【図１２】
2007013712.tif 000014
【図１３】
2007013712.tif 000015
【図１４】
2007013712.tif 000016
【図１５】
2007013712.tif 000017
【図１６】
2007013712.tif 000018
【図１７】
2007013712.tif 000019
【図１８】
2007013712.tif 000020
【図１９】
2007013712.tif 000021
【図２０】
2007013712.tif 000022
【図２１】
2007013712.tif 000023
【図２２】
2007013712.tif 000024
【図２３】
2007013712.tif 000025